(57)【要約】【課題】日本酒消費者に対して、膨大な種類の日本酒の中から、日本酒の種類、味、価格等の選択要素に基づいて、容易に希望する日本酒を選択できる日本酒情報システムを提供する。【解決手段】通信ネットワークを介して接続された、日本酒生産者情報を提供する日本酒製造者側の製造者側装置と、日本酒毎の付加情報を提供すると共に、日本酒情報を検索する消費者等の消費者側装置と、前記日本酒生産者情報と前記消費者等から提供された個々の日本酒毎の付加情報を含んだ日本酒情報を前記個々の日本酒に付与された日本酒ＩＤコードに関連付けて格納した日本酒情報データベースを有し、前記日本酒情報データベースにアクセスして前記日本酒情報を前記日本酒ＩＤコード毎に格納する格納処理と検索処理を行う日本酒情報サーバ装置とから構成される。【選択図】    図１
2004164237.tif 000002
【特許請求の範囲】
【請求項１】
通信ネットワークを介して接続された、
日本酒生産者情報を提供する日本酒製造者側のデータ処理装置（以下、「製造者側装置」という）と、
日本酒毎の付加情報を提供すると共に、日本酒情報を検索する日本酒販売者、日本酒評価者又は日本酒消費者（以下、「消費者等」という）のデータ処理装置（以下、「消費者側装置」という）と、
前記日本酒生産者情報と前記消費者等から提供された個々の日本酒毎の付加情報を含んだ日本酒情報を前記個々の日本酒に付与された日本酒ＩＤコードに関連付けて格納した日本酒情報データベースを有し、前記日本酒情報データベースにアクセスして前記日本酒情報を前記日本酒ＩＤコード毎に格納する格納処理と検索処理を行う日本酒情報サーバ装置と、から構成され、
前記日本酒生産者情報は、前記日本酒製造者から提供された個々の日本酒毎の日本酒の名称（商標を含む）、種類（吟醸、大吟醸、本醸造、純米等）、生産地名、生産年度、製造者名を少なくとも含み、前記日本酒毎の付加情報は当該日本酒の出荷後に与えられた当該日本酒の味覚に関する情報であって、
前記消費者側装置からの日本酒に関する種々の情報提供の要求に対し、前記日本酒情報データベースに格納された前記日本酒情報を前記通信ネットワークを介してリアルタイムに提供することを特徴とする日本酒情報提供システム。
【請求項２】
前記日本酒ＩＤコードは、
前記日本酒製造者を特定する複数桁のデジタルコードの生産者ＩＤコードと、
前記日本酒製造者の申請に基づいて付与され当該日本酒製造者から出荷される日本酒を特定する複数桁のデジタルコードの商品コードと、
から構成されたことを特徴とする請求項１に記載の日本酒情報提供システム。
【請求項３】
前記日本酒生産者情報は、さらに、日本酒製造者自身の評価による個々の日本酒度（甘味度及び辛味度）、味の濃淡、香り、飲み頃温度、原材料名、原材料米の収穫地、原材料米の品種、精米歩合、精米混合比率、製造者名等の前記日本酒生産に関する情報を含むことを特徴とする請求項２に記載の日本酒情報提供システム。
【請求項４】
前記日本酒製造業者から出荷される各日本酒の容器（ボトル、樽等）ラベルには、前記日本酒ＩＤコードを示すバーコード及び当該バーコードに対応する前記デジタルコードが視覚的に認識可能に表示され、当該バーコード又は当該バーコードに対応するデジタルコードに基づいて前記日本酒情報の提供を行うことを特徴とする請求項２に記載の日本酒情報提供システム。
【請求項５】
前記日本酒ＩＤコードを示すバーコードは、前記製造者側装置又は前記消費者側装置に接属されたバーコード読取装置によって読み取られ、前記日本酒生産者情報及び前記前記日本酒付加情報の提供と、前記消費者側装置からの日本酒に関する種々の情報提供の要求は、前記バーコード読取装置によって読み取られた日本酒ＩＤコード又は当該バーコードに対応する前記デジタルコードに基づいて行われることを特徴とする請求項４に記載の日本酒情報提供システム。
【請求項６】
前記日本酒製造業者から出荷される日本酒の容器（ボトル、樽等）、栓、収納又は包装手段には、前記日本酒ＩＤコードを示すデジタルコードを電子的に格納したＩＣチップ（集積回路）が組み込まれており、前記ＩＣチップに格納されたデジタルコードに基づいて前記日本酒情報の提供を行うことを特徴とする請求項３に記載の日本酒情報提供システム。
【請求項７】
前記ＩＣチップに格納された前記デジタルコードは、前記製造者側装置又は前記消費者側装置に接続されたＩＣチップ読取装置によって読み取られ、
前記日本酒生産者情報及び前記前記日本酒付加情報の提供と、前記消費者側装置からの日本酒に関する種々の情報提供の要求とが、前記ＩＣチップに格納された前記デジタルコードに基づいて行われることを特徴とする請求項６に記載の日本酒情報提供システム。
【請求項８】
前記ＩＣチップは、前記日本酒生産者情報を格納することを特徴とする請求項７に記載の日本酒情報提供システム。
【請求項９】
前記付加情報は、さらに、個々の前記日本酒に適合する１又は複数の料理の名称又は種類、前記日本酒の販売価格のランク、当該販売価格のランクに応じた評価、販売事業者名、消費者のコメントを含むことを特徴とする請求項１に記載の日本酒情報提供システム。
【請求項１０】
前記日本酒評価者は、選定された日本酒を評価する能力を有する者であって、
前記付加情報は、前記日本酒評価者が自己に付与された評価者ＩＤコード及びパスワードを入力することにより前記日本酒情報サーバに提供されることを特徴とする請求項１又は９に記載の日本酒情報提供システム。
【請求項１１】
前記日本酒情報サーバは、前記日本酒に関する種々の情報提供を希望する前記消費者側装置に対して、
前記消費者側装置が最初に前記日本酒情報サーバにアクセスした際に、前記消費者側装置を使用する消費者等の会員ＩＤコード及びパスワードを前記消費者側装置に自動付与することを特徴とする請求項１に記載の日本酒情報提供システム。
【請求項１２】
前記日本酒情報サーバは、前記消費者側装置により指定された料理の種類に最も適合する１又は複数の日本酒名を販売価格ランク毎に提供することを特徴とする請求項１１に記載の日本酒情報提供システム。
【請求項１３】
前記日本酒情報サーバは、日本酒度（甘味度及び辛味度）、味の濃淡、香り、飲み頃温度、原材料、原材料米の収穫地、原材料米の品種、原材料米の精米歩合、精米混合比率、製造者名、及び前記日本酒付加情報の中から、前記消費者側装置により指定された１又は複数の選択要素に基づいてこれに適合する１又は複数の日本酒を選択し、当該選択した日本酒名を前記通信ネットワークを介して提供することを特徴とする請求項１１に記載の日本酒情報提供システム。
【請求項１４】
前記日本酒情報を構成する各選択要素は、点数化されて提供されることを特徴とする請求項１３に記載の日本酒情報提供システム。
【請求項１５】
前記日本酒情報サーバは、前記製造者側装置からの要求に応じて、日本酒毎の当該販売価格のランクに応じた評価、消費者のコメント等の付加情報を提供することを特徴とする請求項９に記載の日本酒情報提供システム。
【請求項１６】
前記日本酒情報サーバは、前記消費者側装置を使用する前記消費者等に対して、前記日本酒に関する情報の提供の要求に応じて課金処理を行う請求項１に記載の日本酒情報提供システム。
【請求項１７】
前記通信ネットワークは、ＴＣＰ／ＩＰ（インターネット・プロトコル）に基づく双方向通信ネットワークである請求項１に記載の日本酒情報提供システム。
【請求項１８】
前記消費者側装置は、前記通信ネットワークにアクセス可能な、パーソナル・コンピュータ、携帯電話装置、ＰＨＳ電話装置又はＰＤＳ装置である請求項１７に記載の日本酒情報提供システム。
【発明の詳細な説明】
【０００１】
【発明の属する技術分野】
本発明は、日本酒に関する各種情報を提供する日本酒情報システムであって、特に、通信ネットワークを介して消費者による日本酒購入の選択に役立つ日本酒情報を提供する日本酒情報システムに関する。
【０００２】
【従来の技術】
日本酒は、古くから灘、伏見を主産地として日本全国の各地域で生産されている。日本酒の製造は、古くからの伝統的な製造と技術革新による新しい化学技術の採用や機械化された生産設備による製造が行われている。日本酒の味は、原材料の米や水の品質、または、製造方法によっても違ってくる。日本酒製造者は消費者の嗜好に対応しながら各々が個性的な日本酒を製造している。
【０００３】
日本全国で作られる日本酒は、生産者毎にその品質が違うため膨大な数の種類がある。日本酒は、製造法によって純米酒、吟醸酒、本醸造酒、普通酒、生酒等の種類があり、さらに、各々の日本酒毎に甘味覚、辛味覚、渋味覚、酸味覚、うまみ覚等の違いがある。
【０００４】
純米酒は使用原材料が米、米麹だけで作られた酒であり、米の精米歩合は７０％（精米して玄米から３０％の糖分を除く）以下である。吟醸酒は、使用原材料が米、米麹、醸造アルコールであり、米の精米歩合は６０％以下である。大吟醸酒は、使用原材料が米、米麹、醸造アルコールであり、米の精米歩合は５０％以下である。本醸造酒は、使用原材料が米、米麹、醸造アルコールであり、米の精米歩合は７０％以下である。さらに、純米酒を飲みやすいタイプに仕上げるために、例えば、純米吟醸酒というように、精米をよくし、発酵温度を低くしたいわゆる「吟醸造り」をするとか、酸生成の少ない酵母を使うなどの工夫が凝らされたものもある。
【０００５】
また、普通酒は、原材料として米、米麹、醸造アルコールに糖類、調味料を加えて製造しているものもある。
【０００６】
日本酒の香りについても、日本酒らしい香り「基調香」と、「上立香」と「含み香」とがある。「上立香」は、盃に鼻を近づけるとふわっと香る果実のような花の香りをいい、吟醸香が代表である。「含み香」は、口に入れたときに口中にひろがる落ち着いた香りで、発揮性の弱い成分で構成される。日本酒の香りの成分は３００種類あるといわれている。さらに、酒を飲む時の「のどごし」の良し悪しも良い酒の条件であり、日本酒購入の選定要件となる。
【０００７】
また、日本酒は、冷やして飲む、温めて燗をして飲むなど飲み方においても多様である。例えば、日本酒の燗は、「ぬる燗」（４０℃乃至４５℃）、「上燗」（４５℃乃至５０℃）、「熱燗」（５０℃乃至５５℃）があり、日本酒ごとに最適な飲み頃温度がある。このように、日本酒は多様な飲み方によっても選択されて購入される。
【０００８】
さらに、製造者（造り酒屋）は、日本全国に２，０００社もありそれぞれが独自の工夫を凝らした製造方法により日本酒を生産している。これらの製造者が造る日本酒の酒質（甘口、辛口、濃淡）にも価格にも大きな差があることとなる。
【０００９】
したがって、日本酒の消費者（消費者）は、極めて多種類の日本酒の中から自分の希望に合う日本酒を選択するのである。日本酒の選択は、酒販売店に聞くとか日本酒の専門書、日本酒のガイドブック、雑誌等から得た知識を基準として消費者が自分の嗜好で選ぶ。
【００１０】
通常、日本酒の容器（ボトル等）には、ラベルが貼付され、貼付されたラベルには、商品名等が印刷された表示がなされている。ラベルには商品名、製造者、住所、醸造年月日、原材料、甘口、辛口、飲み頃温度などの最小必要限度の情報が記載されている。
【００１１】
【発明が解決しようとする課題】
上記したように日本酒は、製造者、生産地、原材料米の種類、製造方法等により異なる膨大な種類の酒がある。これら膨大な種類の日本酒の中から自分の好みに合う日本酒を選択することは大変難しい。さらに、日本酒は消費者の嗜好の変化や商品に特徴を持たせるため新しい日本酒が開発され販売開始されるため、その種類、味覚、価格などの情報は常に変化している。そのため、希望する日本酒を選ぶことをますます困難にしている。
【００１２】
刊行された日本酒の専門書、日本酒のガイドブック、雑誌等から知識を得て選ぶにしても最新の情報が得られるとは限らない。実際に料理屋や日本酒販売店等で示される日本酒リストから選ぶことは困難で、日本酒販売店や料理屋の従業員から薦められるままに購入することが多く、消費者が意図した味覚とは違う場合も起こる。
【００１３】
本発明は、日本酒を購入する人に対して、膨大な種類の日本酒の中から、日本酒の種類、味、価格等の選択要素に基づいて、容易に希望する日本酒を選択できる日本酒情報システムを提供することを目的とする。
【００１４】
【課題を解決するための手段】
このため、本発明は、通信ネットワークを介して接続された、日本酒生産者情報を提供する日本酒製造者側のデータ処理装置（以下、「製造者側装置」という）と、日本酒毎の付加情報を提供すると共に、日本酒情報を検索する日本酒販売者、日本酒評価者又は日本酒消費者（以下、「消費者等」という）のデータ処理装置（以下、「消費者側装置」という）と、前記日本酒生産者情報と前記消費者等から提供された個々の日本酒毎の付加情報を含んだ日本酒情報を前記個々の日本酒に付与された日本酒ＩＤコードに関連付けて格納した日本酒情報データベースを有し、前記日本酒情報データベースにアクセスして前記日本酒情報を前記日本酒ＩＤコード毎に格納する格納処理と検索処理を行う日本酒情報サーバ装置と、から構成され、前記日本酒生産者情報は、前記日本酒製造者から提供された個々の日本酒毎の日本酒の名称（商標を含む）、種類（吟醸、大吟醸、本醸造、純米等）、生産地名、生産年度、製造者名を少なくとも含み、前記日本酒毎の付加情報は当該日本酒の出荷後に与えられた当該日本酒の味覚に関する情報であって、前記消費者側装置からの日本酒に関する種々の情報提供の要求に対し、前記日本酒情報データベースに格納された前記日本酒情報を前記通信ネットワークを介してリアルタイムに提供することを特徴とする日本酒情報提供システムを提供するものである。
【００１５】
これにより、本発明に係る日本酒情報提供システムは、膨大な種類に及ぶ各々の日本酒に関する客観情報（日本酒生産者情報）および主観情報（日本酒評価者等による評価等）を酒屋やレストラン等に備え付けられたパーソナル・コンピュータ（データ処理装置）、又は、自己が所有するパーソナル・コンピュータや携帯電話やパーソナル消費者側装置によって、何時でも容易に取得できるので、希望する日本酒の選択購入を容易にすることを可能としたのである。
【００１６】
ここで、前記日本酒ＩＤコードは、前記日本酒製造者を特定する複数桁のデジタルコードの生産者ＩＤコードと、前記日本酒製造者の申請に基づいて付与され当該日本酒製造者から出荷される日本酒を特定する複数桁のデジタルコードの商品コードとから構成される。
【００１７】
そして、前記日本酒生産者情報は、さらに、日本酒製造者自身の評価による個々の日本酒度（甘味度及び辛味度）、味の濃淡、香り、飲み頃温度、原材料名、原材料米の収穫地、原材料米の品種、精米歩合、精米混合比率、製造者名等の前記日本酒生産に関する情報を含む。
【００１８】
ところで、前記日本酒製造業者から出荷される各日本酒の容器（ボトル等）ラベルには、前記日本酒ＩＤコードを示すバーコード及び当該バーコードに対応する前記デジタルコードが視覚的に認識可能に表示され、当該バーコード又は当該バーコードに対応するデジタルコードに基づいて前記日本酒情報の提供を行う。
【００１９】
ここで、前記日本酒ＩＤコードを示すバーコードは、前記製造者側装置又は前記消費者側装置に接属されたバーコード読取装置によって読み取られ、前記日本酒生産者情報及び前記前記日本酒付加情報の提供と、前記消費者側装置からの日本酒に関する種々の情報提供の要求は、前記バーコード読取装置によって読み取られた日本酒ＩＤコード又は当該バーコードに対応する前記デジタルコードに基づいて行われるのである。
【００２０】
しかし、前記日本酒製造業者から出荷される日本酒の容器（ボトル、樽等）、栓（コルク栓、キャップ等）、収納又は包装手段には、前記日本酒ＩＤコードを示すデジタルコードを電子的に格納したＩＣチップ（マイクロＩＣチップを含む、以下、単に「ＩＣチップ」という）が組み込まれており、前記ＩＣチップに格納されたデジタルコードに基づいて前記日本酒情報の提供を行う。
【００２１】
この場合、前記ＩＣチップに格納された前記日本酒ＩＤコードを示すデジタルコードは、前記製造者側装置又は前記消費者側装置に接属されたＩＣチップ読取装置によって読み取られ、前記日本酒生産者情報及び前記前記日本酒付加情報の提供と、前記消費者側装置からの日本酒に関する種々の情報提供の要求は、前記ＩＣチップに格納された前記デジタルコードに基づいて行われる。そして、前記ＩＣチップは、前記日本酒生産者情報を格納するようにしてもよい。
【００２２】
また、前記付加情報は、さらに、個々の前記日本酒に適合する１又は複数の料理の名称又は種類、前記日本酒の販売価格のランク、当該販売価格のランクに応じた評価、販売事業者名を含んでいる。
【００２３】
ところで、前記日本酒評価者は、選定された日本酒を評価する能力を有する者であって、前記付加情報は、前記日本酒評価者が自己に付与された評価者ＩＤコード及びパスワードを入力することにより前記日本酒情報サーバに提供されるのである。
【００２４】
さらに、前記日本酒情報サーバは、前記日本酒に関する種々の情報提供を希望する前記消費者側装置に対して、前記消費者側装置が最初に前記日本酒情報サーバにアクセスした際に、前記消費者側装置を使用する消費者等の会員ＩＤコード及びパスワードを前記消費者側装置に自動付与し、前記消費者側装置により指定された料理の種類に最も適合する１又は複数の日本酒名を販売価格ランク毎に提供する。
【００２５】
本発明における日本酒情報サーバは、日本酒度（甘味度及び辛味度）、味の濃淡、香り、飲み頃温度、原材料、原材料米の収穫地、原材料米の品種、原材料米の精米歩合、精米混合比率、製造者名、及び前記日本酒付加情報の中から、前記消費者側装置により指定された１又は複数の選択要素に基づいてこれに適合する１又は複数の日本酒を選択し、当該選択した日本酒名を前記通信ネットワークを介して提供することとなる。ここで、前記日本酒情報を構成する各選択要素は、点数化されて提供するようにしてもよい。
【００２６】
前記日本酒情報サーバは、前記製造者側装置からの要求に応じて、日本酒毎の当該販売価格のランクに応じた評価、消費者のコメント等の付加情報を提供する。これにより、日本酒製造者は、自社製の日本酒に対する評価、消費者の好み、今後の製品に対する要望等をいち早く知ることが出来る。
【００２７】
また、前記日本酒情報サーバは、前記消費者側装置を使用する前記消費者等に対して、前記日本酒に関する情報の提供の要求に応じて課金処理を行う。
【００２８】
ところで、前記通信ネットワークは、ＴＣＰ／ＩＰ（インターネット・プロトコル）に基づく双方向通信ネットワークであり、前記消費者側装置は、前記通信ネットワークにアクセス可能なパーソナル・コンピュータ、携帯電話装置、ＰＨＳ電話装置又は消費者側装置の何れであってもよい。
【００２９】
【発明の実施の形態】
以下、本発明の日本酒情報システムの実施の形態について、図面の記載に基づいて説明する。
【００３０】
図１は、本発明の日本酒情報システムのシステム全体構成図を示す。
【００３１】
本発明の日本酒情報システは、通信ネットワーク１０に接続された消費者側装置２と、複数の日本酒製造者に設置された製造者側装置３と通信ネットワーク１０に接続された日本酒情報サーバ１とで構成されている。
【００３２】
利用する通信ネットワーク（ネットワーク）１０は、固定電話網、携帯電話網、ＩＰ電話網の何れも利用可能である。
【００３３】
製造者側装置３及び消費者側装置２は、本実施例ではパーソナル・コンピュータとしているが、消費者側装置２又は、携帯電話装置２ａ、ＰＨＳ電話装置又はＰＤＡ装置の何れであってもよい。さらに、製造者側装置３及び消費者側装置２には、ＩＣチップに格納されたデータを読み取るためのＩＣチップ読取装置２６ｂ、バーコードを読み取るためのバーコード読取装置２６ａを接続することも可能である。
【００３４】
本発明の日本酒情報システムは、日本酒情報サーバ１に、ネットワーク１０を介して、日本酒を生産する製造者（造り酒屋）の製造者側装置３と、日本酒情報を利用する消費者側装置２（消費者側）とが接続されている。
【００３５】
また、図１に示す通信ネットワークの構成は、ＴＣＰ／ＩＰの双方向通信による多様な構成が可能である。公開性を有したインターネットではなく、閉鎖通信ネットワーク、例えば、イントラネット（ＦＤＤＩ／ＬＡＮ）などでも、同様の処理が可能である。また、多国籍企業における海外展開ネットワーク、すなわち、エキストラネット（広域ＷＡＮ）でも同様の処理が可能である。
【００３６】
図２は、図１中の日本酒情報サーバ１の構成例を示すブロック図である。図２において、この日本酒情報サーバ１は、ＬＡＮ構成の回線接続装置２０、ウェブサーバ２１、データベース（適宜Ｄ／Ｂと記す）サーバ２２、通信制御装置２３、ＳＳＬサーバ２４、Ｄ／Ｂ装置２５、ドライブ装置２７及インターフェイス（Ｉ／Ｆ）部２８、バーコード読取装置２６ａ、ＩＣチップ読取装置２６ｂを備えて構成されている。
【００３７】
回線接続装置２０は、日本酒情報サーバ１を通信網１０に接続するためのものであり、具体的には、ディジタル終端接続装置（ＤＳＵ）や侵入防止用のファイアウォールアプリケーションを実装したルータなどである。
【００３８】
ウェブサーバ２１は、インターネット上で基幹的な通信処理（ブラウジング）を実行するための主コンピュータとして動作する。
【００３９】
Ｄ／Ｂサーバ２２は、日本酒情報サーバ１を利用して製造者から受信した日本酒生産者情報を日本酒情報データベース２５へ格納し、会員（消費者）から要求に対して日本酒情報データベース２５の日本酒情報の提供に関する管理制御を行う。
【００４０】
通信制御装置２３は、ウェブサーバ２１などの各サーバを制御し、多数の消費者側装置２に選択的に回線接続を行う制御を実行する。なお、この通信制御装置２３は、例えば、インターネット上の時刻同期用のＮＴＰ（Ｎｅｔｗｏｒｋ  Ｔｉｍｅ  Ｐｒｏｔｏｃｏｌ）サーバ、分散ファイルシステム用のＮＦＳ（Ｎｅｔｗｏｒｋ  Ｆｉｌｅ  Ｓｙｓｔｅｍ）サーバなどを備えている。
【００４１】
ＳＳＬサーバ２４は、個人情報などの秘密保持のための暗号化データ転送用の暗号化通信プロトコル（ＳＳＬ：Ｓｅｃｕｒｅ  Ｓｏｃｋｅｔｓ  Ｌａｙｅｒ）を実行する。
【００４２】
Ｄ／Ｂ装置２５は、日本酒製造者から送信された日本酒生産者情報と評価者から送信された日本酒毎の付加情報を日本酒ＩＤコードに関連付けてデータベース化して格納している。さらに、Ｄ／Ｂ装置２５には、日本酒情報サーバ１が入力した他の情報（例えば、日本酒に合う料理、販売価格等）が日本酒情報に関連付けられて格納されている。
【００４３】
日本酒情報データベース２５に格納されている日本酒毎に関連つけられた当該日本酒に合う料理は、複数の日本の料理（例えば５００種類）、世界の料理（例えば１００種類）が料理情報として格納されている。
【００４４】
データベース処理は、ＤＢＭＳにより入出力データのアクセス制御を行い、トランザクションの管理、問合せ処理、エンドユーザーインターフェイスを行う。
【００４５】
さらに、Ｄ／Ｂサーバ２２は、データベースに格納されている日本酒ＩＤコードに対応する日本酒属性情報と、その他の各情報のデータベース記憶手段内における物理的構成を管理し、データベース記憶手段に格納されているデータの分類及び問合せ処理を行う。
【００４６】
ドライブ装置２７は、本発明を実施するためのプログラム、等を保管し、プログラムをウェブサーバ２１などの各サーバにインストールする。
【００４７】
Ｉ／Ｆ部２８は、Ｄ／Ｂ管理などの保守を行うための単体の小型汎用コンピュータやＬＡＮを接続した外部ローカルエリアネットワーク（ＬＡＮ）をインターフェイス接続によって収容している。
【００４８】
さらに、日本酒情報サーバ１には、日本酒の容器（ボトル、樽、紙パック等、以下、適宜「ボトル」という。）に貼付されたバーコードを読み取るバーコード読取装置２６ａ、日本酒のボトルに設置されたＩＣチップに格納されたデータを読み取るためのＩＣチップ読取装置２６ｂが接続されている。
【００４９】
バーコードの読み取りは、既に短距離無線通信において行われているように、光（レーザー光等）、又は赤外線をバーコードに照射してその反射光を読み取ることによりデータの読み取りを行う。また、ＩＣチップ読取は、ＩＣチップに電磁波又は赤外線を照射して、ＩＣチップから発信される信号を読み取ることによりデータの読み取りが行われる。
【００５０】
なお、この日本酒情報サーバ１には、必要に応じてＦＴＰ（Ｆｉｌｅ  Ｔｒａｎｓｆｅｒ  Ｐｒｏｔｏｃｏｌ）ファイル転送用のＦＴＰサーバ、及び分散名前管理システム（ＤＮＳ：Ｄｏｍａｉｎ  Ｎａｍｅ  Ｓｙｓｔｅｍ）用のＤＮＳサーバ、ＦＡＸサーバ、ＶｏＩＰ電話サーバ、電子メールサーバなどを設けても良い。
【００５１】
また、Ｄ／Ｂサーバ２２及びＤ／Ｂ装置２５は、日本酒情報の収容数が少ない場合は、固体記憶装置（例えば、フラッシュメモリ）を利用したテーブルでも良い。さらに、日本酒情報が少ない場合は、図１中の日本酒情報サーバ１の構成を簡易な構成とすることも出来る。例えば、小型汎用コンピュータ１台のみでも、本発明の実施が可能である。
【００５２】
ここで、本発明の日本酒情報データベース２５について説明する。
【００５３】
日本酒生産者情報の格納は、通信ネットワーク１０を介して日本酒生産者情報を日本酒情報データベース２５へ格納する場合と、以後説明する日本酒の容器（ボトル等）に設置されたＩＣチップに格納された情報を読み取ることによって日本酒情報データベース２５への格納が行われる場合がある。
【００５４】
何れの場合も、日本酒生産者情報を日本酒情報データベース２５へ格納する場合は、日本酒ＩＤコードに関連つけて格納される。日本酒ＩＤコードは、予め定められる設定規格により定められている。日本酒ＩＤコードは、例えば、１２桁のデジタルコードで構成され、１桁目から３桁目の３桁が地域コード、４桁目から６桁目の３桁が品種コード、７桁目から９桁目が製造者コード、１０桁目から１２桁目の３桁が日本酒の商品コードである。
【００５５】
日本酒は、日本酒の容器（ボトル等）の所定の位置に設置されたＩＣチップ１２に格納されたコード又はラベル等に印字されたバーコード１３に対応するコードよって識別される（図３参照）。
【００５６】
まず、通信ネットワーク１０を介して日本酒生産者情報を日本酒情報データベース２５へ格納する場合は、日本酒製造者側に設置された製造者側装置３から通信ネットワーク１０を介して送信された日本酒生産者情報を日本酒情報サーバ１が受信して日本酒情報データベース２５に格納される。このような日本酒製造者情報は、日本酒製造者から供給されたデータに基づいて第三者が入力するようにしてもよい。
【００５７】
日本酒製造者側に設置された製造者側装置３は、日本酒生産者情報として、日本酒ＩＤコード、日本酒名称、生産地名、生産年度、製造者名、日本酒の種類（吟醸、大吟醸、本醸造、純米、生酒等）、原材料、日本酒度（甘味度及び辛味度）、味の濃淡、香り、飲み頃温度、原材料米の収穫地、原材料米の品種、精米歩合、精米混合比率、杜氏名等からなる日本酒生産者情報を日本酒情報サーバ１に送信する。さらに、生産者情報は、日本酒の容器（樽やボトル）、原材料の米、該日本酒に合う料理等の写真による画像データを送信しても良い。
【００５８】
日本酒情報サーバ１は、製造者側装置３から送信された上記した日本酒生産者情報を日本酒情報データベース２５に格納する。
【００５９】
さらに、通信ネットワークを介さないでＩＣチップ１２に格納されたデータから日本酒生産者情報を日本酒情報データベース２５へ格納するには、日本酒のボトルに設置されたＩＣチップ１２、又は日本酒のラベル１４などに印字されて貼付されたバーコード１３に格納されたデータを読み取ることにより行われる。
【００６０】
読み取りは日本酒情報サーバ１に接続されたＩＣチップ読取装置２６ｂ又はバーコード読取装置２６ａによって行われる。読み取られた日本酒生産者情報は日本酒情報データベース２５への格納に格納される。
【００６１】
このときの日本酒生産者情報はＩＣチップ１２又はバーコード１３に格納可能な桁数のデータである。そのため日本酒情報サーバ１は、日本酒生産者情報のデータに不足のデータがあった場合、不足している日本酒生産者情報データを以下の述べる他の情報の追加と同様に当該日本酒に関連する日本酒生産者情報を追加して日本酒情報データベース２５に格納する。
【００６２】
図３は、日本酒のボトル７の所定の箇所にＩＣチップ１２を設置し、ラベル１４に印字されたバーコード１３を貼付した日本酒のボトル７例の斜視図を示す。
【００６３】
日本酒の製造者又は販売事業者は、日本酒のボトル７に日本酒生産者情報を格納した格納手段であるＩＣチップ１２又は日本酒のラベル１４などに印字されたバーコード１３を設置又は貼付する。
【００６４】
ＩＣチップ１２の設置において、日本酒の製造者又は販売事業者は、日本酒生産者情報を格納したＩＣチップ１２を日本酒ボトル７の栓８の栓上面、日本酒のボトル７の底面、又は日本酒のボトル７に貼付されたラベル１４の近傍に設置する。尚、栓８は、コルク栓、木栓であっても金属製のキャップであってもよい。
【００６５】
ＩＣチップ１２に格納された日本酒生産者情報は、日本酒ＩＤコード、日本酒品名、生産地、製造者名、日本酒の種類、原材料、味覚、香り、米の収穫年度、原材料米の品種、原材料米の生産地、販売事業者コード、販売事業者名等である。
【００６６】
ＩＣチップ１２のデータ格納容量は大きいため、ＩＣチップの格納された日本酒生産者情報は、通信ネットワーク１０を介して送信される日本酒生産者情報データと同程度の情報である。
【００６７】
また、ラベル１４に印字されるバーコード１３において、日本酒の製造者又は販売事業者は、日本酒のラベル１４上に日本酒生産者情報を格納したバーコード１３を印字して日本酒のボトル７に貼付する。
【００６８】
バーコード１３には、日本酒ＩＤコード、容量、味覚、飲み頃温度、種類、製造年度、販売事業者コード等の日本酒生産者情報が印字されている。バーコード１３はラベル１４に印字するか、バーコード１３のみを印字したシートを日本酒のボトル７に貼付するかは任意である。いずれにしてもバーコード１３で格納する桁数はＩＣチップ１２の格納可能な桁数に比べて少ない。
【００６９】
そのためバーコード１３のみの日本酒生産情報である場合は、報通信ネットワーク１０を介して受信した日本酒生産者情報のデータ構成と同程度のデータ構成とするために日本酒情報サーバ１は、不足している日本酒生産者情報データを追加して日本酒情報データベース２５に格納する。
【００７０】
さらに、日本酒情報サーバ１は、日本酒情報データベース２５に格納された日本酒生産者情報に加えて、他の付加情報、例えば合う料理、飲み頃温度（冷か燗か）、販売価格ランク、販売事業者名、日本酒鑑定の権威者である日本酒評価者の評価等の付加情報を日本酒生産者情報の日本酒ＩＤコードに関連付けて日本酒情報データベース２５に格納する。
【００７１】
さらにまた、日本酒を購入した消費者（会員）の消費者側装置２は、日本酒の購入店、飲んだ場所（料理屋、レストラン等）、飲んだ感想、満足度、日本酒製造者に対する要望などの購入情報を日本酒情報サーバ１に送信する。
【００７２】
日本酒情報サーバ１は、消費者から受信した購入情報を、該当する日本酒データに関連付けて時系列に累積して日本酒情報データベース２５に格納する。これらの消費者から受信した購入情報は、会員がＷＥＢ上で閲覧可能である。また、日本酒情報サーバ１は、新しく受信した購入情報を製造者側装置３に即時に転送する、又は、所定の期間毎、商品毎にまとめて送信するように構成する。
【００７３】
ここで、日本酒に合う料理を選択するためのデータ構成について説明する。図４は、日本酒に合う料理の選択手順を説明するための日本酒と料理との適合度の例を示すマトリックスを示すものである。
【００７４】
日本酒に合う複数の料理をランク付けして、日本酒情報データベース２５に格納する。例えば、当該日本酒に合う料理の適合度を５点満点で評価し当該日本酒に一番合う料理を５点とする。お概ね合う料理を３点とする。推奨しないを１点とする。
【００７５】
または、料理のデータに、当該料理に合う日本酒をランク付けして、日本酒情報データベース２５に格納する。例えば、料理に合う日本酒の適合度を５点満点で評価し当該料理に一番合う日本酒を５点とする。お概ね合う日本酒を３点とする。積極的に推奨しない日本酒を１点とする。
【００７６】
図４に示すように、例えば、日本酒ＡＡＡＡは、刺身料理に最も合い、豆腐料理にも合うが、魚料理、貝料理の食中酒には推薦できない。
【００７７】
日本酒に合う料理の検索は、指定した日本酒に関連付けられた複数の料理から適合ランク点の上位の料理で、指定した種類の料理、例えば日本料理５種類、西洋料理５種類（フランス料理、イタリア料理、スペイン料理、ロシア料理等）を選び出す。選び出す料理は、日本料理、西洋料理、中華料理等を自由に指定できる。また選び出す料理の種類数も希望の数が指定できる。
【００７８】
料理に合う日本酒の検索は、格納された料理に関連付けられてランク付けされた日本酒の適合ランク点の上位の日本酒から複数の日本酒を選び出す。例えば、適合ランク上位の冷で飲む日本酒１０種類と燗で飲む日本酒１０種類を選び出す。
【００７９】
図４に示す例のように煮魚料理に最も合う日本酒は日本酒ＧＧＧＧであり、合う日本酒はＢＢＢＢ、概ね合う日本酒は日本酒ＤＤＤＤである。日本酒ＡＡＡＡ、日本酒ＥＥＥＥ及び日本酒ＦＦＦＦは推奨しない。
【００８０】
このようにして日本酒情報サーバ１は、日本酒に対応した複数種類の料理を日本酒情報データベース２５に格納する。例えば、料理５００種類、日本酒８００種類のデータを日本酒情報データベース２５に格納する。
【００８１】
ここで、本発明の日本酒情報システムの動作について説明する。
【００８２】
先ず、会員登録において、日本酒情報サーバ１は、日本酒情報システムにアクセスを希望する希望者に日本酒情報へのアクセスを許可するためのＩＤコード、パスワードを発行する。
【００８３】
ＩＤコード及びパスワードは、日本酒情報サーバ１に対してアクセスを希望する希望者（会員）が最初に行う会員登録のステップにおいて、日本酒情報サーバ１が自動付与して会員に通知するする。日本酒情報サーバ１は、会員の氏名、住所、性別、年齢等の会員属性データを会員情報としてデータベースに格納する。
【００８４】
次に、本日本酒情報サーバ１への通信アクセスに対する認証において、日本酒情報サーバ１は、日本酒の製造者に設置された製造者側装置３及び複数の消費者側装置２から通信アクセス信号を受信した場合、送信されたＩＤコード及びパスワードを格納されている当該のＩＤコード、パスワードと比較して一致した場合は認証し日本酒情報サーバ１への通信アクセスを許可する。
【００８５】
日本酒情報サーバ１にアクセスが認証された製造者側装置３及び複数の消費者側装置２は、日本酒情報サーバ１への情報の送信又は日本酒情報サーバ１に格納された日本酒情報の受信が可能となる。日本酒の製造者に設置された製造者側装置３は日本酒を出荷する時に又は後に、日本酒生産者情報を日本酒情報サーバ１に送信する。
【００８６】
日本酒生産者情報を受信した日本酒情報サーバ１は、日本酒情報データベース２５に格納する。さらに、日本酒情報サーバ１は、受信した日本酒生産者情報に加えて、他の情報、例えば合う料理、飲み頃温度、販売価格、販売事業者、日本酒鑑定資格者の評価等の情報を日本酒生産者情報に関連付けて日本酒情報データベース２５に格納する。
【００８７】
ここで、会員の消費者側装置２から日本酒情報サーバ１に（ウェブ上の日本酒情報ホームページに）日本酒情報に関するデータ要求があると、日本酒情報サーバ１は、消費者側装置２側のＩＤコード及びパスワードを要求する。消費者側装置２から日本酒情報サーバ１に予め付与されたＩＤコード及びパスワードを送信する。日本酒情報サーバ１は、送信されたＩＤコード及びパスワードの認証後、消費者側装置２に対して日本酒情報システムの利用を許可する。
【００８８】
消費者側装置２は、ウェブ上の日本酒情報ホームページから検索画面を表示して消費者等が希望する日本酒情報の要求に対応した検索結果を表示する。
【００８９】
図５は、日本酒情報の検索画面例を示す。消費者側装置２の表示画面上には、図５に示すような、日本酒情報の検索画面が表示される。日本酒情報の検索画面での検索動作は、希望する項目を選択して指定する。指定項目を確認後、「検索」欄を指定（クリック）して検索を指示する。表示画面には検索した結果が表示される。
【００９０】
図５に示すように日本酒情報の検索画面上には、日本酒で検索するための日本酒３０、商品名３２、地域３３、種類として大吟醸３４、吟醸３５、本醸造３６、純米３７、生酒３８、普通酒３９が表示され、料理で検索するための料理４０、日本料理４１、その表示希望種類を指定する種類４４の各項目が表示されている。さらに、料理は西洋料理、中華料理が指定可能となっている。
【００９１】
ここで、日本酒を検索する検索動作例を説明する。先ず、消費者側装置２の検索画面上に表示された日本酒３０を指定し、次に、日本酒の種類を指定する。例えば、吟醸３５を指定する。指定を確認後、検索画面上の「検索５０」欄を指定する。
【００９２】
検索指示によって、図６に示すように日本酒情報データベースに格納されている日本酒名とその概略の日本酒情報が表示される。図６の表示画面例には、日本酒名、製造された地域（例えば灘）、味、価格等が表示されている。さらに、表示された日本酒名の中から指定する日本酒名を選んで検索すると選んだ日本酒名とその詳細な情報が表示可能である（図８参照）。
【００９３】
また、日本酒ＤＤＤＤに合う料理を検索し表示することもできる。例えば、日本酒ＤＤＤＤに合う日本料理を９種類表示することを要求する。図５に示す検索画面例の日本酒名の欄３２に日本酒ＤＤＤＤと指定し、料理の日本料理欄４１を指定し、種類欄４４に種類数を「９」種類と指定する。日本酒情報サーバ１は、料理データベースをから日本酒ＤＤＤＤに合う日本料理のランク付けされた適合ランク点の上位の日本料理から９種類を選択してウェブ上のサーバに送信する。
【００９４】
図７は、日本酒情報の検索画面例を示す。消費者側装置２の画面上には、日本酒ＤＤＤＤに合う上位のランク点の日本料理９種類と日本酒ＤＤＤＤの簡単な情報が表示される。表示される日本酒情報の項目は必要に応じて自由に変更することが可能である。
【００９５】
ここで、日本酒の内容を詳しく知りたい場合は、表示されている日本酒名ＤＤＤＤを指定する。画面の日本酒ＤＤＤＤ欄で指定又は画面の検索欄を指定する。
【００９６】
図８は、日本酒情報を表示する画面例を示す。図８に示すように、日本酒の詳しい情報、例えば、「品名：ＤＤＤＤ」、「生産地域：ＡＢＣＤＥ」、「種類：吟醸酒」、「原材料：米、米麹、醸造アルコール」、「原材料米の生産地：ＡＢＣＤＥ」、「原材料米の品種：複数の原料米を使用する場合は、複数の品種ＵＵＴＴ、ＴＴＳＳ」、「精米混合比率ＵＵＴＴ５０％、ＴＴＳＳ５０％」、「精米歩合：６０％」、「味：辛口」「香り：澄んだデリシャスリンゴの香り」、「濃淡度：やや濃淡」、「飲み頃温度：ぬる燗（４０〜４５℃）」、「合う料理：煮物、鍋物、てんぷら、かき、あわび、ハマグリ、焼き魚」、「価格：中程度（２０００円）」、「生産年月：２００Ｘ年Ｘ月」、「醸造所名：ＨＩＪＫＬＭ」、「販売店名：ＨＨＨ酒店」、「杜氏氏名：ＫＫＫＫＫＫ」と表示される。さらに、日本酒鑑定資格者の評価、消費者のコメントが表示される。１画面で表示出来ない場合は、次頁ボタンをクリックして次頁を表示する。日本酒鑑定資格者の評価、消費者コメントは受信順に表示される。
【００９７】
次に、生産地域からの検索は、図５に示す、検索画面の「日本酒」３０を指定して、生産地域３３を指定する。図９は、日本酒生産地と地域を表示した画面例を示す。端末装置２の画面には複数の生産地と生産地域（例えば、兵庫県、ＡＢＣＤＥ地域、ＢＢＣＣ地域、ＫＫＫＫ地域、ＭＭＭＭ地域、新潟県、ＮＮＮＮ地域、ＨＨＨＨ地域、ＧＧＧＧＧ地域、ＰＰＰＰ地域、広島県、ＤＤＤＤＤ地域、ＥＥＥＥＥ地域、ＳＳＳＳＳ地域等）が表示される。
【００９８】
表示された画面上の生産地のみをを指定すると、日本酒情報データベースに格納されている順番に当該生産地の日本酒生産地域とその地域で生産される日本酒が表示される。生産地域を指定すると当該生産地域で生産される日本酒名が表示される。日本酒名を指定してその日本酒の情報を表示する。日本酒情報は、上記の図８に示した形式と同様な内容で表示画面に表示される。
【００９９】
さらに、料理から検索は、図５に示す検索画面の「料理」４０を指定し、表示された「日本料理」４１、「中華料理」４２、「西洋料理」４３から希望する料理を指定する。例えば、日本料理４１と、画面に表示する料理の種類数４４を指定する。
【０１００】
図１０は、料理の選択画面例を示す。図１０の画面例において、表示画面には「かな」又は「アルファベット」の文字が表示される。表示された「かな」文字の中から「てんぷら」の頭文字の「て」を指定して検索すると頭文字に「て」の付いた料理名が表示される。
【０１０１】
表示された料理名の中から「てんぷら」を選び、日本酒の種類（吟醸酒、純米酒、本醸造酒等）を指定すると、推奨する複数種類以上（例えば５種類）の日本酒名と簡単なデータとして生産地、味覚、価格等が表示される。
【０１０２】
図１１は、料理に合う日本酒を表示した画面例を示す。さらに、表示されている日本酒名の中から希望する日本酒の情報を詳しく得たい場合は、表示された画面の中の日本酒名を指定する。日本酒の詳しい意情報が表示される。ここで料理名「てんぷら」を上記した説明では、料理の頭文字の「て」を指定するようにしたが料理名欄で「てんぷら」と指定しても同じ検索が可能である。
【０１０３】
なお、表示画面の説明において、文字画面情報で説明したが、日本酒容器（樽、ボトル等）の画像、製造者、製造所の画像等の画像情報を表示することも可能である。
【０１０４】
さらに、本システムにおいては、料理店、レストラン、日本酒販売店の店頭などの消費者側装置２に接続されたＩＣチップ読取装置２６Ｂ又はバーコード読取装置２６ａにより、ボトル７に設置されたＩＣチップ１２、又はバーコード１３に格納された日本酒情報を読み取り消費者側装置２に表示することができる。ＩＣチップ１２又はバーコード１３には、上記で説明した日本酒生産者情報が格納されている。日本酒の簡単な情報が得られる。
【０１０５】
本発明の日本酒情報システムの利用を認証された会員（日本酒を販売する小売店、レストラン、バー又は個人会員）は、ＩＣチップ１２、又はバーコード１３に格納された日本酒情報を読み取り、画面に表示された日本酒生産者情報から得た情報を利用して、さらに詳しい情報を日本酒情報システムから取得することが可能である。
【０１０６】
例えば、ＩＣチップから読み取った日本酒名から日本酒に合う料理を検索することが可能である。また、日本酒のボトル７のラベル等に印字されたバーコード１３のデータの場合は、印字するデータ量に限りがあるため詳しい情報が格納されていない。そのため、バーコードを読み取って表示された日本酒名から、さらに詳しい内容（例えば、日本酒鑑定資格者の評価、合う料理等）の日本酒情報を取得することが可能となる。
【０１０７】
さらに、日本酒情報システムの会員（販売事業者、製造者及び消費者）は、日本酒情報サーバ１（購入情報ＤＢ）にアクセスし、購入された日本酒に対する消費者の意見、評価、消費者の日本酒に対する嗜好等の日本酒購入情報を知ることが出来る。
【０１０８】
特に、日本酒製造者は、自社製の日本酒に対する消費者から受信した購入情報により製品の評価、消費者の好み、今後の製品に対する要望等をいち早く知ることが出来る。日本酒毎の消費者の意見、評価のみを抽出して表示することも可能である。これにより製造者側は、消費者の要望に合わせた、即ち消費動向に合致した日本酒の製造が可能となる。さらに、購入情報は時系列に格納されているので当該の酒に対する評価の変遷を何時でも知ることが出来る。
【０１０９】
また、日本酒情報サーバ１は、会員毎の日本酒情報取得アクセス件数を格納しており、会員の日本酒情報取得件数に応じて処理料金を課金することが可能である。
【０１１０】
【発明の効果】
以上詳しく説明したように、本発明の日本酒情報提供システムは、通信ネットワークを介して接続された、日本酒生産者情報を提供する日本酒製造者側の製造者側装置と、日本酒毎の付加情報を提供すると共に、消費者等の消費者側装置と、前記日本酒生産者情報と前記消費者等から提供された個々の日本酒毎の付加情報を含んだ日本酒情報を前記個々の日本酒に付与された日本酒ＩＤコードに関連付けて格納した日本酒情報データベースを有し、前記日本酒情報データベースにアクセスして前記日本酒情報を前記日本酒ＩＤコード毎に格納する格納処理と検索処理を行う日本酒情報サーバ装置と、から構成され、前記日本酒生産者情報は、前記日本酒製造者から提供された個々の日本酒毎の日本酒の名称（商標を含む）、種類（吟醸、大吟醸、本醸造、純米等）、生産地名、生産年度、製造者名を少なくとも含み、前記日本酒毎の付加情報は当該日本酒の出荷後に与えられた当該日本酒の味覚に関する情報であって、前記消費者側装置からの日本酒に関する種々の情報提供の要求に対し、前記日本酒情報データベースに格納された前記日本酒情報を前記通信ネットワークを介してリアルタイムに提供することを特徴とするものである。
【０１１１】
これにより、本発明に係る日本酒情報提供システムは、膨大な種類に及ぶ各々の日本酒に関する客観情報（日本酒生産者情報）および主観情報（日本酒評価者等による評価等）を酒屋や料理店や、レストラン等に備え付けられたパーソナル・コンピュータ（データ処理装置）、又は、自己が所有するパーソナル・コンピュータや携帯電話２ａ等の消費者側装置２によって、何時でも容易に取得できるので、日本酒消費者に対して的確な日本酒選択情報の提供を実現したのである。
【０１１２】
さらに、消費者情報が即時に取得可能であるため、日本酒製造者は、消費者の要望に合った製品を製造し市場に提供することが可能となった。
【図面の簡単な説明】
【図１】本発明に係る日本酒情報システムのシステム全体構成図を示す。
【図２】図１に示す日本酒情報サーバの構成例を示すブロック図である。
【図３】本発明に係る日本酒のボトルにＩＣチップ及びバーコードを設置した日本酒のボトルの斜視図を示す。
【図４】本発明に係る日本酒と料理との適合度を関連付けるマトリックス図を示す。
【図５】本発明に係る日本酒情報の検索画面例を示す。
【図６】本発明に係る日本酒情報の検索画面例を示す。
【図７】本発明に係る日本酒に合う料理が表示された画面例を示す。
【図８】本発明に係る日本酒情報を表示する画面例を示す。
【図９】本発明に係る日本酒生産国と地域を表示した画面例を示す。
【図１０】本発明に係る料理の選択画面例を示す。
【図１１】本発明に係る料理に合う日本酒を表示した画面例を示す。
【符号の説明】
１  日本酒情報サーバ
２  消費者側装置
３  生産者情報装置
７  ボトル
８  栓
１０  通信ネットワーク
１２  ＩＣチップ
１３  バーコード
２５  日本酒情報データベース
２６ａ  バーコード読取装置
２６ｂ  ＩＣチップ読取装置
【図１】
2004164237.tif 000003
【図２】
2004164237.tif 000004
【図３】
2004164237.tif 000005
【図４】
2004164237.tif 000006
【図５】
2004164237.tif 000007
【図６】
2004164237.tif 000008
【図７】
2004164237.tif 000009
【図８】
2004164237.tif 000010
【図９】
2004164237.tif 000011
【図１０】
2004164237.tif 000012
【図１１】
2004164237.tif 000013